(57)【要約】【課題】  製造コストを増大させることなく、表示画面の焼き付きを目立たなくすることが可能な表示装置を提供する。 【解決手段】  リモコン４０からの所定の停止操作に基づいて、カラ−デコ−ダ２３ａが利用可能な作業領域であるフレ−ムメモリ２３ｆに焼き付きの原因となった静止画像の画像デ−タが保持される。そして、リモコン４０による反転画像の表示指示に基づいて、フレ−ムメモリ２３ｆに保持されている画像デ−タの輝度を反転させた反転画像をＰＤＰパネル３１に表示させることにより、ＰＤＰ３１の表示画面全体を均一化させる。これにより、焼き付きの原因となった画像の画像デ−タを記憶させるためのメモリを別途設ける必要がなくなるため、製造コストの増大を抑制することが可能となる。【選択図】図１
2006011067.tif 000002
【特許請求の範囲】
【請求項１】
入力映像信号に基づいて所定の表示画像をプラズマディスプレイパネルに表示させる第１の表示画像表示手段と、
上記入力映像信号の輝度を反転させた反転画像を表示させる第２の表示画像表示手段と
を具備するテレビジョンにおいて、
上記入力映像信号の動きを検出し、所定時間以上動きがない場合を静止画像であると特定する特定手段と、
上記特定手段により静止画像であると特定されてからの経過時間を測定する計時手段と、
所定の停止操作に応じて、上記第１の表示画像表示手段により表示されている表示画像の画像デ−タを、１フレ−ム分の画像デ−タを記憶可能なフレ−ムメモリに記憶させる画像デ−タ記憶手段と、
上記画像デ−タ記憶手段により上記フレ−ムメモリに記憶されている画像デ−タに基づく静止画像を表示させる静止画像表示手段と、
上記画像デ−タ記憶手段により上記フレ−ムメモリに記憶されている画像デ−タに基づいて、ゲ−ム計時手段により測定された経過時間にわたって、同画像デ−タに基づく静止画像の輝度が高い部分と低い部分との境界については、同境界を暈すように上記反転画像を表示させる表示制御手段と、
表示画面の焼き付きを目視により確認するための全白画像を表示させる全白画像表示手段と
を具備することを特徴とするテレビジョン。
【請求項２】
入力映像信号に基づいて所定の表示画像を表示部に表示させる第１の表示画像表示手段と、
上記入力映像信号の輝度を反転させた反転画像を表示させる第２の表示画像表示手段と
を具備する表示装置において、
所定の停止操作に応じて、上記第１の表示画像表示手段により表示されている表示画像の画像デ−タを、１フレ−ム分の画像デ−タを記憶可能なフレ−ムメモリに記憶させる画像デ−タ記憶手段と、
上記画像デ−タ記憶手段により上記フレ−ムメモリに記憶されている画像デ−タに基づいて、上記第２の表示画像表示手段に上記反転画像を表示させる表示制御手段と
を具備することを特徴とする表示装置。
【請求項３】
上記表示制御手段は、上記画像デ−タ記憶手段により記憶されている画像デ−タについて、同画像デ−タに基づく静止画像の輝度が高い部分と低い部分との境界を暈すように、上記反転画像を表示させることを特徴とする請求項２に記載の表示装置。
【請求項４】
表示画面の焼き付きを目視により確認するための全白画像を表示させる全白画像表示手段を具備することを特徴とする請求項２または３に記載の表示装置。
【請求項５】
上記入力映像信号の動きを検出し、所定時間以上動きがない場合を静止画像であると特定する特定手段と、
上記特定手段により静止画像であると特定されてからの経過時間を測定する計時手段と
を具備し、
上記表示制御手段は、上記計時手段により測定された経過時間にわたって上記反転画像を表示させることを特徴とする請求項２〜４のいずれか１に記載の表示装置。
【請求項６】
上記画像デ−タ記憶手段により上記フレ−ムメモリに記憶されている画像デ−タに基づく静止画像を表示させる静止画像表示手段を具備することを特徴とする請求項２〜５のいずれか１に記載の表示装置。
【請求項７】
外部装置からの入力映像信号を入力可能な映像入力端子を具備し、
同外部装置としてのゲ−ム装置からの入力映像信号に基づいてゲ−ム画像を表示するゲ−ムモ−ドを選択可能であり、
上記表示制御手段は、上記ゲ−ムモ−ドが選択されているときに、上記第２の表示画像表示手段に上記反転画像を表示させることを特徴とする請求項２〜６のいずれか１に記載の表示装置。
【請求項８】
上記表示部は、プラズマディスプレイパネルからなることを特徴とする請求項２〜７のいずれか１に記載の表示装置。
【発明の詳細な説明】
【技術分野】
【０００１】
本発明は、発光体を発光させて画像を表示させるプラズマディスプレイパネル（ＰＤＰピクチャ）等を用いた表示装置に関するものである。
【背景技術】
【０００２】
プラズマディスプレイパネル（ＰＤＰ）を備えた表示装置では、３色の色信号Ｒ（赤）、Ｇ（緑）、Ｂ（青）の各発光体を発光させてカラ−画像を表示させる。このような表示装置では、発光体を発光させている関係上、表示内容や使用時間に応じて、表示画面上に焼き付きが発生してしまうという問題がある。例えば、長時間にわたって同一のＯＳＤ表示を継続して行っていたり、テレビゲ−ムを行っている途中の静止画像を長時間継続して表示させていたりすると、静止画像の輝度の段差に基づく焼き付きが発生し、表示画面が見難くなってしまう。
【０００３】
このような問題を解決するために、従来、入力映像信号の輝度を反転させた反転画像を表示させることにより、表示画面の焼き付きを目立たなくすることが可能な表示装置が開示されている（例えば、特許文献１、２参照）。
【特許文献１】特開平１１−２９８２２６号公報
【特許文献２】特開平１１−２９８２２６号公報
【発明の開示】
【発明が解決しようとする課題】
【０００４】
しかしながら、特許文献１、２に記載の表示装置では、反転画像を表示させる元となる静止画像、すなわち、焼き付きが発生した静止画像を記憶しておく専用のメモリが、別途、設けられている構成となっており、このことが、表示装置の製造にかかるコストの増大を招来してしまうという問題がある。
【０００５】
本発明は、かかる実情に鑑み、製造コストを増大させることなく、表示画面の焼き付きを目立たなくすることが可能な表示装置を提供するものである。
【課題を解決するための手段】
【０００６】
上記目的を達成するため、請求項２にかかる発明は、入力映像信号に基づいて所定の表示画像を表示させる第１の表示画像表示手段と、
上記入力映像信号の輝度を反転させた反転画像を表示させる第２の表示画像表示手段とを具備する表示装置において、
所定の停止操作に応じて、上記第１の表示画像表示手段により表示されている表示画像の画像デ−タを、１フレ−ム分の画像デ−タを記憶可能なフレ−ムメモリに記憶させる画像デ−タ記憶手段と、
上記画像デ−タ記憶手段により上記フレ−ムメモリに記憶されている画像デ−タに基づいて、上記第２の表示画像表示手段に上記反転画像を表示させる表示制御手段と
を具備する構成としてある。
【０００７】
上記のように構成した請求項２において、上記第１の表示画像表示手段は、入力映像信号に基づいて所定の表示画像を表示部に表示させる。また、上記第２の表示画像表示手段は、入力映像信号の輝度を反転させた反転画像を表示させる。
【０００８】
また、上記画像デ−タ記憶手段は、所定の停止操作に応じて、上記第１の表示画像表示手段により表示されている表示画像の画像デ−タを、１フレ−ム分の画像デ−タを記憶可能なフレ−ムメモリに記憶させる。さらに、上記表示制御手段は、上記画像デ−タ記憶手段により上記フレ−ムメモリに記憶されている画像デ−タに基づいて、上記第２の表示画像表示手段に上記反転画像を表示させる。上記フレ−ムメモリは、入力映像信号に対する所定の処理を実行するビデオデコ−ダや、デジタル映像信号を表示部が有する画面の大きさに合わせて変換するためのスケ−ラ等が、その作業領域として備えているものであり、このフレ−ムメモリを利用して焼き付きが発生したときの静止画像の画像デ−タを記憶しておくことが可能となる。その結果、焼き付きが発生したときの静止画像の画像デ−タを記憶しておくためのメモリを別途余計に設ける必要がなくなるため、製造にかかるコストの増大を抑制することが可能となる。
【０００９】
さらに、請求項３にかかる発明は、上記表示制御手段が、上記画像デ−タ記憶手段により記憶されている画像デ−タについて、同画像デ−タに基づく静止画像の輝度が高い部分と低い部分との境界を暈すように、上記反転画像を表示させる構成としてある。
上記のように構成した請求項３において、反転画像を表示させた結果、画面全体の焼き付きが均一になった際に、元の静止画像の輝度が高い部分と低い部分との境界を目立たなくすることが可能となる。
【００１０】
さらに、請求項４にかかる発明は、表示画面の焼き付きを目視により確認するための全白画像を表示させる全白画像表示手段を具備する構成としてある。
上記のように構成した請求項４において、焼き付きが発生したときの表示画面の焼き付き具合や、反転画像を表示させることにより均一化された表示画面の目視による確認を行うことが可能となる。
【００１１】
さらに、請求項５にかかる発明は、入力映像信号の動きを検出し、所定時間以上動きがない場合を静止画像であると特定する特定手段と、
上記特定手段により静止画像であると特定されてからの経過時間を測定する計時手段とを具備し、
上記表示制御手段が、上記計時手段により測定された経過時間にわたって上記反転画像を表示させる構成としてある。
上記のように構成した請求項５において、焼き付きの発生にかかる静止画像が表示されていた時間と同じ時間にわたって反転画像を表示させることが可能となるため、表示画面をより均一化させることができ、表示画面の焼き付きをより目立たなくすることが可能となる。
【００１２】
さらに、請求項６にかかる発明は、上記画像デ−タ記憶手段により上記フレ−ムメモリに記憶されている画像デ−タに基づく静止画像を表示させる静止画像表示手段を具備する構成としてある。
上記のように構成した請求項６において、焼き付きが発生した元の静止画像を確認することが可能となる。
【００１３】
さらに、請求項７にかかる発明は、外部装置からの入力映像信号を入力可能な映像入力端子を具備し、同外部装置としてのゲ−ム装置からの入力映像信号に基づいてゲ−ム画像を表示するゲ−ムモ−ドを選択可能であり、上記表示制御手段が、上記ゲ−ムモ−ドが選択されているときに、上記第２の表示画像表示手段に上記反転画像を表示させる構成としてある。
上記のように構成した請求項７において、テレビゲ−ム等からの入力映像信号に起因して焼き付きが発生した場合であっても、反転画像を表示させることにより表示画面の焼き付きを目立たなくすることが可能となる。
【００１４】
さらに、請求項８にかかる発明は、上記表示部が、プラズマディスプレイパネルからなる構成としてある。
上記のように構成した請求項８において、プラズマディスプレイパネルの表示画面の焼き付きを目立たなくすることが可能となる。
【発明の効果】
【００１５】
本発明の請求項２にかかる発明では、製造にかかるコストの増大を抑制しつつ、表示画面の焼き付きを目立たなくすることが可能となる。
請求項３にかかる発明では、焼き付きが発生した元の静止画像の輝度が高い部分と低い部分との境界を目立たなくすることが可能となる。
請求項４にかかる発明では、表示画面の目視による確認を行うことが可能となる。
請求項５にかかる発明では、表示画面の焼き付きをより目立たなくすることが可能となる。
請求項６にかかる発明では、焼き付きが発生した元の静止画像を確認することが可能となる。
請求項７にかかる発明では、テレビゲ−ム等からの入力映像信号に起因して焼き付きが発生した場合であっても、反転画像を表示させることにより表示画面の焼き付きを目立たなくすることが可能となる。
請求項８にかかる発明では、プラズマディスプレイパネルの表示画面の焼き付きを目立たなくすることが可能となる。
【発明を実施するための最良の形態】
【００１６】
図１は、本発明にかかるプラズマディスプレイパネルを備えたテレビジョンとしての表示装置（ＰＤＰ表示装置）の構成を示すブロック図である。同図において、ＰＤＰ表示装置２０は、アンテナ１０からの周波信号を入力するチュ−ナ部２２を備えている。チュ−ナ部２２は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部２２に与えられる。
【００１７】
また、ＰＤＰ表示装置２０は、ビデオ入力端子２４を備えている。ビデオ入力端子２４には、外部装置としてのゲ−ム装置５０が接続されており、このビデオ入力端子２４を介してゲ−ム装置５０からの映像信号及び音声信号を入力可能となっている。上述したチュ−ナ部２２とビデオ入力端子２４とにはスイッチ回路２５が接続されている。このスイッチ回路２５は、チュ−ナ部２２からの映像信号、または、ビデオ入力端子２４からの映像信号のいずれか一方を有効とし、後述する映像信号処理部２３に供給するためのものである。すなわち、本発明にかかる表示装置２０は、テレビジョン放送の受像と、ゲ−ム装置からのゲ−ム映像の表示との両方を行うことが可能なように構成されている。
【００１８】
チュ−ナ部２２またはビデオ入力端子２４からの出力は、映像信号処理部２３に供給される。映像信号処理部２３は、カラ−デコ−ダ２３ａとＩＰ変換部２３ｂとスケ−ラ−２３ｃと表示画像調整部２３ｅとを備えている。カラ−デコ−ダ２３ａは、入力された信号から、Ｒ、Ｇ、Ｂの３原色信号を復調する。また、カラ−デコ−ダ２３ａは、図示しないＡ／Ｄ変換器を備え、入力されたＲ、Ｇ、Ｂの３原色信号をデジタル信号に変換する。さらに、カラ−デコ−ダ２３ａは、映像信号と音声信号との分離も行い、分離された音声信号を後述するＤ／Ａ変換器３２に供給する。カラ−デコ−ダ２３ａは、さらに、ＯＳＤ処理部２３ｄを備えている。このＯＳＤ処理部２３ｄは、映像に所定の静止画像を重ねて表示したり、所定の静止画像を差し替えて表示する等の処理を行うことができる。ＯＳＤ処理部は、文字情報等のデ−タをＣＰＵ２８ａから入力し、同文字情報等のデ−タに基づいて静止画像を生成することが可能となっている。
【００１９】
ＩＰ変換部２３ｂは、連続するインタ−レ−ス形式の映像信号をプログレッシブ形式の映像信号に変換する。スケ−ラ−２３ｃは、入力したデジタルの映像信号を、ＰＤＰパネル３１が有する画面の大きさに合致するように変換を行う。なお、カラ−デコ−ダ２３ａ、ＩＰ変換部２３ｂおよびスケ−ラ−２３ｃは、それぞれの処理を行う際のワ−クエリアとしてフレ−ムメモリ２３ｆ、２３ｇ、２３ｈをそれぞれ利用することが可能となっている。
【００２０】
カラ−デコ−ダ２３ａが利用可能なワ−クエリアとしてのフレ−ムメモリ２３ｆには、動き検出部２６が接続されている。動き検出部２６は、フレ−ムメモリ２３ｆに記憶されている映像信号のフレ−ム（一画面分の画像デ−タ）間の差分を検出し、この差分に基づいて、所定時間以上動きがない場合を静止画像であると判断し、それ以外は動画像であると判断する。そして、動き検出部２６の検出結果は、ＣＰＵ２８ａに送信される。ＣＰＵ２８ａは、動き検出部２６から静止画像である旨の判断結果を受信すると、その時点からの経過時間（Ｔ）を測定する。本発明にかかるＰＤＰ表示装置２０は、この経過時間（Ｔ）と同時間にわたって反転画像を表示させるのである。
【００２１】
また、リモコン４０等からの所定の停止操作に基づいて、ＣＰＵ２８ａは、フレ−ムメモリ２３ｆに記憶されている画像デ−タを保持させ、同画像デ−タに基づく静止画像をＰＤＰパネル３１に表示させる制御を行う。このようにすることにより、例えば、ゲ−ム画像を長時間にわたって表示させたことに気付いたユ−ザ−が、表示画面の焼き付きが発生した虞のある静止画像の確認を行うことが可能となる。
【００２２】
表示画像調整部２３ｅは、γ補正回路を含み、入力された映像信号に基づく表示画像の生成、および、ＣＰＵ２８ａからの命令に基づく反転画像の生成を行う。また、表示画像調整部２３ｅは、リモコン４０等による停止操作に応じてフレ−ムメモリ２３ｆに画像デ−タが保持されているときに、リモコン４０等による所定の操作に基づくＣＰＵ２８ａからの命令に応じて、同画像デ−タの輝度を反転させた反転画像を生成する処理を行う。この表示画像調整部２３ｅについては、後に図面（図２）を用いて詳述する。
【００２３】
ＰＤＰ駆動部３０は、ＬＶＤＳ変換回路等を含み、表示画像調整部２３ｅからの出力に応じて、ＰＤＰパネル３１に各種の画像を表示させる処理を行う。また、カラ−デコ−ダ２３ａから出力された音声信号は、Ｄ／Ａ変換部３２を介してアンプ／スピ−カ３３に入力される。
【００２４】
上述したＣＰＵ２８ａは、バス２９に接続されており、バス２９に接続されたＲＡＭ２８ｂをワ−クエリアとしながら、ＰＤＰ表示装置２の各種機能を実現するための制御処理を実行する。また、バス２９には書き換え可能なＥＥＰＲＯＭ２８ｄが接続されており、ＣＰＵ２８ａ、ＥＥＰＲＯＭ２８ｄに記憶された各種デ−タを使用して制御処理を実行する。
【００２５】
ＥＥＰＲＯＭ２８ｄには、選局デ−タ２８ｄ１が記憶されている。この選局デ−タ２８ｄ１は、リモコン４０等からの受信チャンネルの選局指示に基づいて、チュ−ナ部２２が受信する周波数帯を選択するためのものである。また、ＥＥＰＲＯＭ２８ｄには、上述したＯＳＤ処理部２３ｄにＯＳＤ処理を行わせるためのＯＳＤデ−タ２８ｄ２が記憶されている。
【００２６】
バス２９にはリモコンＩ／Ｆ２８ｅが接続されており、リモコン４０から出力される赤外線明滅信号を入力可能になっている。この赤外線明滅信号は、バス２９を介してＣＰＵ２８ａに送出され、ＣＰＵ２８ａは対応する制御処理を実行する。
【００２７】
図２は、図１に示した表示画像調整部の構成を示すブロック図である。同図に示すように、表示画像調整部２３ｅは、３つの表示画像生成回路６０、６２、６４、および、３つの反転画像生成回路６１、６３、６５を備えている。表示画像生成回路６０および反転画像生成回路６１は、カラ−デコ−ダ２３ａにより復調されたＲのデジタル信号（Ｒ信号）を入力する。また、表示画像生成回路６２および反転画像生成回路６３、表示画像生成回路６４および反転画像生成回路６５は、それぞれＧ信号、Ｂ信号を入力する。表示画像生成回路６０および反転画像生成回路６１は、スイッチ回路６６に接続されており、これらの２つの回路を切り替え可能となっている。同様に、表示画像生成回路６２および反転画像生成回路６３、表示画像生成回路６４および反転画像生成回路６５は、それぞれスイッチ回路６７、６８に接続されている。
【００２８】
表示画像生成回路６０は、ＲＯＭ６０ａを備えており、このＲＯＭ６０ａには、γ補正を行い表示画像を生成するための表示画像生成用ルックアップテ−ブルが記憶されている。このルックアップテ−ブルの一例を図３に示す。同図において、各入力階調値に対するγ補正後の出力階調値が対応付けられている。すなわち、このルックアップテ−ブルを用いることにより、入力階調値からγ補正後の出力階調値を一義的に得ることが可能となっている。スイッチ回路６６により表示画像生成回路６０が有効となっている場合には、表示画像生成回路６０に入力されたＲ信号に対して、このルックアップテ−ブルに基づくγ補正が行われ、同補正後のＲ信号が出力されるのである。
【００２９】
一方、反転画像生成回路６１は、ＲＯＭ６１ａを備えており、このＲＯＭ６１ａにも、γ補正を行うための反転画像生成用ルックアップテ−ブルが記憶されている。このルックアップテ−ブルの一例を図４に示す。同図において、図３に示した表示画像生成用ルックアップテ−ブルと同様に、各入力階調値に対するγ補正後の出力階調値が対応付けられているのであるが、図３に示したルックアップテ−ブルと比較して輝度が反転したものとなっている。リモコン４０等の操作により反転画像を表示させる旨の指示があったときには、フレ−ムメモリ２３ｆに保持されている画像デ−タから得られるＲ信号に対して、このルックアップテ−ブルに基づくγ補正が行われ、同補正後のＲ信号が出力されるのである。
【００３０】
Ｇ信号が入力される表示画像生成回路６２および反転画像生成回路６３、Ｂ信号が入力される表示画像生成回路６４および反転画像生成回路６５についても、それぞれ、ＲＯＭ６２ａ、６３ａ、６４ａ、６５ａを備えている。ＲＯＭ６２ａ、６４ａについては、図３に示したものと同様の表示画像生成用ルックアップテ−ブルが記憶されており、ＲＯＭ６３ａ、６５ａについては、図４に示したものと同様の反転画像生成用ルックアップテ−ブルが記憶されているのである。そして、Ｒ、Ｇ、Ｂの各信号に対して、それぞれ表示画像生成回路６０、６２、６４によるγ補正が行われた場合には、映像信号に基づく通常の表示画像が得られる一方、Ｒ、Ｇ、Ｂの各信号に対して、それぞれ反転画像生成回路６１、６３、６５によるγ補正が行われた場合には、フレ−ムメモリ２３ｆに保持されている画像デ−タに基づく反転画像が得られるのである。
【００３１】
次に、図１に示したＰＤＰ表示装置２０において実行されるメイン処理の流れを、図５に示すフロ−チャ−トに基づいて説明する。まず、ステップＳ１００において、初期設定を行う。この処理において、ＣＰＵ２８ａ内のレジスタ、ＲＡＭ２８ｂのクリア、ＥＥＰＲＯＭ２８ｄからの白バランス調整用の設定デ−タの読み出し等の初期設定にかかる処理を行う。
【００３２】
次に、ステップＳ１１０において、テレビ入力になっているか否かを特定する。この処理において、図１に示したスイッチ回路２５によりチュ−ナ部２２からの映像信号が有効となっているか否かを特定する。すなわち、テレビジョン放送を受像中であるか否かを特定するのである。
【００３３】
ステップＳ１１０においてテレビ入力となっていると特定した場合には、ステップＳ１２０において、テレビジョン放送受像処理を行う。この処理において、ＣＰＵ２８ａは、現在設定されているチャンネル番号に基づいて、ＰＤＰ表示装置２０を構成する各部、各回路を主導的に制御し、同チャンネル番号に対応するテレビ映像をＰＤＰパネル３１に表示させる処理を実行する。一方、ステップＳ１１０においてテレビ入力となっていない（ビデオ入力である）と特定した場合には、ステップＳ１３０において、ゲ−ム装置５０からの入力映像信号に基づいて表示画像を表示させる処理を実行する。これにより、ゲ−ム画像がＰＤＰパネル３１に表示されるのである。
【００３４】
ステップＳ１２０またはステップＳ１３０の処理を実行すると、次に、ステップＳ１４０において、停止操作があったか否かを特定する。この処理において、例えば、ゲ−ム画像やＯＳＤ画像を長時間にわたって表示させたままにしておいたことに気付いたユ−ザ−等により、反転画像を表示させて表示画面のメンテナンスを行うために、現在表示中の画像を停止させる操作があったか否かを特定する。停止操作があった場合には、ステップＳ１５０において反転画像表示処理を実行する。この反転画像表示処理については、後に図面（図６）を用いて詳述する。
【００３５】
一方、ステップＳ１４０において停止操作がなかったと特定した場合には、ステップＳ１６０において、ＰＤＰ表示装置２０の電源をＯＦＦにする旨の指示があったか否かを特定する。ＰＤＰ表示装置２０の電源をＯＦＦにする旨の指示がなかった場合には処理をステップＳ１１０に戻し、指示の入力があった場合にはメイン処理を終了させる。
【００３６】
次に、図５に示したフロ−チャ−トのステップＳ１５０において呼び出されて実行される反転画像表示処理の流れを図６に基づいて説明する。まず、ステップＳ２００において、画像デ−タをフレ−ムメモリに保持させる処理を実行する。この処理において、ユ−ザ−による停止操作があったときに表示されている画像の画像デ−タを、フレ−ムメモリ２３ｆに保持させる処理を実行する。
【００３７】
次に、ステップＳ２１０において、ステップＳ２００の処理によりフレ−ムメモリ２３ｆに保持されている画像デ−タに基づく静止画像をＰＤＰパネル３１に表示させる処理を実行する。この処理が行われることにより、表示画面の焼き付きの原因となった画像の確認を行うことが可能となる。
【００３８】
次に、ステップＳ２２０において、経過時間（Ｔ）を表示させる処理を行う。この処理において、動き検出部２６が静止画像であると判断した時点からの経過時間（Ｔ）、すなわち、表示画面の焼き付きの原因となった画像が表示されていた時間をＰＤＰパネル３１に表示させる処理を行う。
【００３９】
次に、ステップＳ２３０において、全白画像の表示指示があったか否かを特定する。この処理において、リモコン４０等の操作により、表示画面の焼き付きの度合いを確認するための全白画像をＰＤＰパネル３１に表示させる旨の指示があったか否かを判断する。全白画像の表示指示があった場合には、ステップＳ２４０において、全白画像をＰＤＰパネル３１に表示させる。
【００４０】
ステップＳ２４０の処理を実行するか、または、ステップＳ２３０において全白画像の表示指示がなかったと特定した場合、ステップＳ２５０において、反転画像の表示指示があったか否かを特定する。この処理において、リモコン４０等の操作により、反転画像を表示させる旨の指示の入力があったか否かを特定する。反転画像の表示指示がなかった場合には、反転画像表示処理を終了させる。
【００４１】
一方、ステップＳ２５０において反転画像の表示指示があったと特定した場合、ステップＳ２６０において反転画像を表示する処理を行う。具体的には、ＣＰＵ２８ａからの命令信号によりスイッチ回路６６、６７、６８の切り替えを行い、反転画像生成回路６１、６３、６５を有効とするとともに、フレ−ムメモリ２３ｆに保持されている画像デ−タから復調されたＲ、Ｇ、Ｂの各信号に対して反転画像生成用ルックアップテ−ブルに基づくγ補正を行い、補正後のＲ、Ｇ、Ｂの各信号に基づく反転画像をＰＤＰパネル３１に表示させるのである。なお、このとき、輝度の高い部分と低い部分との差が所定レベル以上である境界部分については、同境界部分を暈すように反転画像を表示させることが望ましい。具体的には、例えば、輝度の高い部分と低い部分との差が所定レベル以上である境界部分については、或る画素Ａに隣接する複数の画素の階調値と、画素Ａの階調値との平均値を、反転画像を表示させるときの画素の階調値とするように補正を行い、上記境界部分が均一にぼやけるようにするのである。
【００４２】
ステップＳ２６０の処理を実行すると、次に、ステップＳ２７０において表示時間（ｔ）の測定を開始する処理を行う。この表示時間（ｔ）は、反転画像がＰＤＰパネル３１に表示されている時間である。次に、ステップＳ２８０において、反転画像の表示時間（ｔ）と、上述した経過時間（Ｔ）とについてｔ＜Ｔであるか否かを特定する。ｔ＜Ｔである場合には、処理をステップＳ２８０に戻す一方、ｔ＜Ｔではない（ｔ＝Ｔである）場合には、ステップＳ２９０において反転画像の表示を終了させ、その後、反転画像表示処理を終了させる。なお、図６には示していないが、この反転画像の表示終了後に、全白画像を表示させることにより、表示画面の均一性のチェックを行うことができるように構成されていてもよい。
【００４３】
以下、図６に示した反転画像表示処理が実行されるときの具体例を示す。ユ−ザ−によるリモコン４０等からの所定の停止操作があったことを受けて、まず、同停止操作があったときにＰＤＰパネル３１に表示されている画像の画像デ−タをフレ−ムメモリ２３ｆに保持させる（ステップＳ２００）。そして、保持されている画像デ−タに基づく静止画像をＰＤＰパネル３１に表示させ（ステップＳ２１０）、表示画面の焼き付きが発生した原因となった静止画像をユ−ザ−が確認することができるようにするとともに、同静止画像が表示されていた経過時間（Ｔ）画面に表示させる（ステップＳ２２０）。また、表示画面の焼き付きが具合を確認するための全白画像をユ−ザ−からの指示に応じて表示させる（ステップＳ２４０）。その後、反転画像を表示させる旨の指示がユ−ザ−からあったときには、経過時間（Ｔ）と同時間にわたって反転画像を表示させるのである（ステップＳ２６０〜Ｓ２９０）。
【００４４】
上述した実施形態においては、ユ−ザ−からの停止操作があったときに、その静止画像の画像デ−タをカラ−デコ−ダ２３ａのワ−クエリアであるフレ−ムメモリ２３ｆに保持させる場合について説明したが、本発明では、入力映像信号に所定の処理を施す際にワ−クエリアとして利用されるフレ−ムメモリに画像デ−タを保持させるようにすればよく、図１においては、例えば、ＩＰ変換部２３ｂやスケ−ラ−２３ｃに上記画像デ−タを保持させるように表示装置が構成されていてもよい。
【００４５】
図５に示したフロ−チャ−トでは、テレビ入力になっている場合であっても、ビデオ入力になっている場合であっても、ユ−ザ−による停止操作に応じて図６に示した反転画像表示処理が実行される場合について説明したが、本発明においては、図７に示すように、外部装置としてのゲ−ム装置からのゲ−ム画像を表示するゲ−ムモ−ドを選択可能に構成されており、更に、このゲ−ムモ−ドが選択されているときのみに、上述した停止操作に応じて反転画像表示処理が実行されるようにＰＤＰ表示装置が構成されていてもよい。
【００４６】
図７に示すメイン処理では、ステップＳ１００の初期設定処理が実行された後、ステップＳ３００においてゲ−ムモ−ドが選択されているか否かが特定され、ゲ−ムモ−ドが選択されている場合には、ステップＳ１３０、Ｓ１４０、Ｓ１５０の処理が行われるのであるが、ゲ−ムモ−ドが選択されていない（テレビ入力である）場合には、ステップＳ１２０のテレビジョン放送受信処理が行われた後、ステップＳ１６０に処理が移されるため、ステップＳ１５０の反転画像表示処理は実行されない。
【００４７】
以上説明したように、実施形態にかかるＰＤＰ表示装置１０では、リモコン４０からの所定の停止操作に基づいて、カラ−デコ−ダ２３ａが利用可能な作業領域であるフレ−ムメモリ２３ｆに焼き付きの原因となった静止画像の画像デ−タが保持されるため、焼き付きが発生したときの静止画像の画像デ−タを記憶しておくためのメモリを別途余計に設ける必要がなくなるため、製造にかかるコストの増大を抑制することが可能となる。
【図面の簡単な説明】
【００４８】
【図１】ＰＤＰ表示装置の構成を示すブロック図である。
【図２】表示画像調整部の構成を示すブロック図である。
【図３】表示画像生成用ルックアップテ−ブルの一例を示す図である。
【図４】反転画像生成用ルックアップテ−ブルの一例を示す図である。
【図５】メイン処理の流れを示すフロ−チャ−トである。
【図６】図５のフロ−チャ−トのステップＳ１５０において呼び出される反転画像表示処理の流れを示すフロ−チャ−トである。
【図７】メイン処理の別例を示すフロ−チャ−トである。
【符号の説明】
【００４９】
１０…アンテナ
２０…ＰＤＰ表示装置
２２…チュ−ナ部
２３…映像信号処理部
２３ａ…カラ−デコ−ダ
２３ｂ…ＩＰ変換部
２３ｃ…スケ−ラ−
２３ｄ…ＯＳＤ処理部
２３ｅ…表示画像調整部
２３ｆ…フレ−ムメモリ
２６…動き検出部
２８ａ…ＣＰＵ
２８ｂ…ＲＡＭ
２８ｄ…ＥＥＰＲＯＭ
３０…ＰＤＰ駆動部
３１…ＰＤＰパネル
４０…リモコン
６０、６２、６４…表示画像生成回路
６１、 ６３、６５…反転画像生成回路
【図１】
2006011067.tif 000003
【図２】
2006011067.tif 000004
【図３】
2006011067.tif 000005
【図４】
2006011067.tif 000006
【図５】
2006011067.tif 000007
【図６】
2006011067.tif 000008
【図７】
2006011067.tif 000009